(57)【要約】  本発明は、Ｘ線管がＸ線機器の床支点から遠く離れているときにＸ線機器が転倒することを防ぐために、そのようなＸ線機器を支持する車体から遠く離れた位置においてＸ線画像が撮影されることを可能にする、Ｘ線機器安定化装置に関する。
2013537073.tif 000002
【特許請求の範囲】
【請求項１】
車枠に対して回転することができる帆柱（２）が配置された前記車枠を備え、前記帆柱（２）は、前記帆柱（２）に固定している末端とは反対側の末端に、水平な、垂直な又は傾斜された面の上にいる患者へＸ線画像を撮影するためのＸ線管（５）とコリメータ（６）が配置されたアーム（４）を有する、Ｘ線機器安定化装置であって、車枠に連結された移動可能な基部に固定された少なくとも一つのフォロア（８）を作動させる、前記帆柱（２）に連結されたカム（７）を備えることで、前記Ｘ線機器の重心が前記Ｘ線管（５）の方へ移動されるようにしたことを特徴とする、Ｘ線機器安定化装置。
【請求項２】
請求項１に定義されたＸ線機器安定化装置であって、さらに前記帆柱（２）に沿って移動可能な支持体（３）を備えることを特徴とする、Ｘ線機器安定化装置。
【請求項３】
請求項１又は２に定義されたＸ線機器安定化装置であって、前記アーム（４）が伸縮自在であることを特徴とする、Ｘ線機器安定化装置。
【請求項４】
請求項１から３のいずれか一項に定義されたＸ線機器安定化装置であって、前記車枠が、移動可能な基部として作用する２つの前輪（１．１）と、２つの後輪（１．２）の形態での、４つの床支点を有する車体（１）であることを特徴とする、Ｘ線機器安定化装置。
【請求項５】
請求項３に定義されたＸ線機器安定化装置であって、前記伸縮自在なアーム（４）が３つの管状の節を備え、１つ目の管状の節（４．１）は垂直に移動可能な支持体（３）に固定され、３つ目の管状の節（４．２）の自由端にはＸ線管（５）およびコリメータ（６）が配置されることを特徴とする、Ｘ線機器安定化装置。
【請求項６】
請求項１から５のいずれか一項に定義されたＸ線機器安定化装置であって、前記カム（７）が円形であることを特徴とする、Ｘ線機器安定化装置。
【請求項７】
請求項４に定義されたＸ線機器安定化装置であって、前記帆柱（１）で確立される回転方向に依存して、その間に一方又は他方の節（８．１）を押すための前記カム（７）が位置づけられた、伸長された節（８．１）を備える２つのフォロア（８）を有することを特徴とする、Ｘ線機器安定化装置。
【請求項８】
請求項７に定義されたＸ線機器安定化装置であって、前記伸長された節（８．１）が、前記車体（１）にそれを連結する垂直軸に対して回転する平面状のバー（１．３）に固定され、一方、前記フォロア（８）が、前記車体の前記前輪（１．１）に蝶番式に連結されることを特徴とする、Ｘ線機器安定化装置。
【請求項９】
請求項７に定義されたＸ線機器安定化装置であって、前記帆柱（２）が前記車体（１）の長手方向で前方又は後方に回転するとき、前記カム（７）が、フォロア（８）の間に配置された復帰手段（９）によって、自動的に中心に位置した（ｓｅｌｆ−ｃｅｎｔｅｒｅｄ）前記フォロアに作用することを止めることを特徴とする、Ｘ線機器安定化装置。
【発明の詳細な説明】
【技術分野】
【０００１】
本発明は、Ｘ線機器安定化装置であって、前記Ｘ線機器を支持する車体から遠く離れた位置においてＸ線画像が撮影されることを可能にする、Ｘ線機器安定化装置に関する。
【０００２】
その特別な構造に起因して、Ｘ線機器安定化装置は、Ｘ線管がＸ線装置の床支点（ｆｌｏｏｒ  ｓｕｐｐｏｒｔｉｎｇ  ｐｏｉｎｔｓ）から遠く離れているときに、Ｘ線装置が転倒することを防ぐ。
【背景技術】
【０００３】
当該技術水準において、ベッド又は水平な面の上にいる患者へＸ線画像を撮影するためのＸ線管を有するＸ線機器が知られている。
【０００４】
前記Ｘ線機器は、一対の前輪と一対の後輪を有する車体に連結される。
【０００５】
従来の機器の中には、特許文献１に記載されたものがあり、同様に車体に対して回転することができる帆柱（ｍａｓｔ）および前記帆柱に沿って垂直に移動可能な支持体を有する。
【０００６】
垂直に移動可能な支持体には、垂直に移動可能な支持体に固定している末端とは反対側の末端に、Ｘ線管とコリメータが配置された移動可能なアームが固定される。
【０００７】
医師が患者を診察するとき、Ｘ線機器は患者がＸ線画像の取得のために横たわっているベッドのほうへ移動される。
【０００８】
従来の機器では、アームは、車体と患者がベッドの上にいる位置との間の距離を覆うために、伸縮自在である。
【０００９】
しかし、車体と、患者がベッドの上にいる位置との間の前記距離が非常に高いとき、伸縮自在のアームと、Ｘ線管とコリメータの重量とに起因する曲げモーメントが非常に高くなり、Ｘ線機器が転倒する結果になり得、医師と患者の双方に結果として起こるリスクを伴う、という欠点がある。
【先行技術文献】
【特許文献】
【００１０】
【特許文献１】スペイン国特許公報第６８５１８５３号
【発明の概要】
【発明が解決しようとする課題】
【００１１】
本発明は従来の欠点を解決し、Ｘ線画像がＸ線機器を支持する車体から遠く離れた位置において撮影されることを可能にし、一方で前記Ｘ線機器の転倒を防ぐ。
【課題を解決するための手段】
【００１２】
本発明は、転倒のリスクを伴わずに、前記Ｘ線機器を支持する車枠から遠く離れた位置においてＸ線画像が撮影されることを可能にするＸ線機器安定化装置に関する。
【００１３】
Ｘ線機器安定化装置は、床に置かれた車枠に配置される。
【００１４】
車枠には、車枠に対して回転することができる帆柱と、前記帆柱に沿って垂直に移動可能な支持体が配置される。
【００１５】
垂直に移動可能な支持体、および、結果として帆柱には、垂直に移動可能な支持体に固定している末端とは反対側の末端に、アームに対してＸ線管とコリメータが回転し得ることにより、水平な、垂直な、又は傾斜された面の上にいる患者へＸ線画像を撮影するためのＸ線管とコリメータが配置されたアームが固定される。
【００１６】
アームは伸縮自在であり、車枠と患者が存在する位置との間の距離を覆うことを許容する。
【００１７】
帆柱には、車枠に連結されている移動可能な基部に固定された、少なくとも一つのフォロアを作動させるためのカムを備える安定化装置が連結している。  
【００１８】
このように、Ｘ線管とコリメータを患者に対して位置づけるために帆柱が回転されるとき、移動可能な基部のアーム方向への移動が行われ、その結果としてＸ線機器の重心がＸ線管の方向に移動し、それにより車枠が転倒することを防ぐ。
【００１９】
帆柱が車枠の長手方向で前方又は後方に回転するとき、カムは、フォロアに設置された復帰手段によって自動的に中心に位置した（ｓｅｌｆ−ｃｅｎｔｅｒｅｄ）前記フォロアに作用することを止める。
【００２０】
要約すれば、本発明は、車枠に対して回転することができる帆柱が配置された車枠を備え、帆柱は、帆柱に固定している末端とは反対側の末端に、水平な、垂直な、もしくは傾斜された面の上にいる患者へＸ線画像を撮影するためのＸ線管とコリメータが配置されたアームを有する、Ｘ線機器安定化装置であって、車枠に連結された移動可能な基部に固定されたフォロアを作動させる、帆柱に連結されたカムを備えることで、Ｘ線機器の重心がＸ線管の方へ移動されるようにしたことを特徴とするＸ線機器安定化装置に関する。
【００２１】
本明細書は、本発明の好ましい実施形態を図示するための、非限定的な、一式の図面によって補足される。
【図面の簡単な説明】
【００２２】
【図１】取り外し可能なアームが車枠の主方向の一つと一致し、車枠の突出部（ｐｒｏｊｅｃｔｉｏｎ）中に含まれるときの、本発明のＸ線機器安定化装置の平面図を示す図である。
【図２】図１に示されたＸ線機器安定化装置の斜視図を示す図である。
【図３】取り外し可能なアームが車枠の長手方向に対して回転された斜視図を示す図である。
【図４】本発明のＸ線機器安定化装置の斜視図を示す図であり、取り外し可能なアームは図２で占有された（ｏｃｃｕｐｉｅｄ）位置に対して回転されており、胴体に対して突出されている。
【図５】取り外し可能なアームが胴体の長手方向と直角を成す平面図を示す図である。
【発明を実施するための形態】
【００２３】
前述を考慮して、本発明は、好ましい本実施形態の例示において、２つの前輪（１．１）と２つの後輪（１．２）の形態での、４つの床支点を有する車体（１）である、車枠に配置されたＸ線機器のための安定化装置に関する。
【００２４】
車体（１）には、車体（１）に対して回転することができる帆柱（２）および前記帆柱（２）のガイド（ｇｕｉｄｅ）（２．１）に沿って垂直に移動可能な支持体（３）が配置される。
【００２５】
垂直に移動可能な支持体（３）には、３つの管状の節（ｓｅｃｔｉｏｎ）を備える伸縮自在なアーム（４）が固定され、１つ目の管状の節（４．１）は垂直に移動可能な支持体（３）に固定され、３つ目の管状の節（４．２）の自由端にはベッド（図示せず）の上にいる患者へＸ線画像を撮影するためのＸ線管（５）およびコリメータ（６）が配置される。
【００２６】
帆柱（２）は、帆柱（１）で確立される回転方向に依存して、その間に一方又は他方の節（８．１）を押すためのカムが位置づけられた伸長された節（８．１）を備える２つのフォロア（８）を作動させる円形のカム（７）を備える安定化装置に連結される。
【００２７】
これらの伸長された節（８．１）は、車体（１）にそれを連結する垂直軸に対して回転する平面状のバー（ｂａｒ）（１．３）に固定され、一方、フォロア（８）は移動可能な基部を構成する車体（１）の前輪（１．１）に蝶番式に連結される。
【００２８】
図１、２、および４に示すように、帆柱（２）が車体（１）の長手方向で前方又は後方に回転するとき、カム（７）は、フォロア（８）の間に配置された、本例示では張力ばねである、復帰手段（９）によって、自動的に中心に位置した（ｓｅｌｆ−ｃｅｎｔｅｒｅｄ）前記フォロアに作用することを止める。
【００２９】
非限定的な態様で記載された構成要素の材料、形、大きさ、および、配置の変化は本発明の本質に影響せず、これは専門家によってその再現を進めるために十分である。
【符号の説明】
【００３０】
１  車体
１．１  前輪
１．２  後輪
１．３  平面上のバー
２  帆柱
３  垂直に移動可能な支持体
４  アーム
４．１  １つ目の管状の節
４．２  ３つ目の管状の節
５  Ｘ線管
６  コリメータ
７  カム
８  フォロア
８．１  伸長された節
９  復帰手段
【図１】
2013537073.tif 000003
【図２】
2013537073.tif 000004
【図３】
2013537073.tif 000005
【図４】
2013537073.tif 000006
【図５】
2013537073.tif 000007
【国際調査報告】
2013537073.tif 000008
2013537073.tif 000009
2013537073.tif 000010
2013537073.tif 000011
2013537073.tif 000012
2013537073.tif 000013